(57)【要約】      （修正有）【課題】香気を発散する連通孔から芳香液がもれ難く、構造が極めて簡単で、アクセサリに応用でき、装着者がアロマの効能を継続的に手軽に享受できる芳香具を提供する。【解決手段】芳香液Ｐを収容する容器１は透明の耐熱ガラス製で短円筒状を成す。前後に対向する円形壁面の一方３の中央に内外を連通する連通孔５を設ける。連通孔５の周縁部には、芳香液Ｐのこぼれ出しを妨げるために連通孔５を収容空間へせり出す返し部６を設ける。返し部６の頂部に連通孔５をさらにせり上げる円筒状の突出縁７を形成する。他方の円形壁面２は返し部６の立ち上がりに沿って湾曲させる。容器１内に溜まる芳香液Ｐは、液面が連通孔５より下位にある量であれば、容器１を傾ける等しても連通孔５を通じて芳香液Ｐがこぼれ落ち難い。側面の上部には、ネックレス等の吊り紐を連結するための連結環８を設ける。容器１にはスポイト９を連通孔５に差し込んで芳香液Ｐを注入する。【選択図】図４
0003147017.tif 000002
【実用新案登録請求の範囲】
【請求項１】
芳香液を収容することができる略短円筒状の収容空間と、この収容空間に収容した芳香液の芳香を放出するように収容空間の相対向する円形壁面の一方のほぼ中央に開口する連通孔と、アクセサリとして身体又はカバンなどに取り付ける装着部材へ連結するための接続部とを具備し、
前記連通孔の周縁部には、収容した芳香液のこぼれ出しを阻害するために連通孔を収容空間へせり出すように傾斜しつつ立ち上がる返し部を有し、
液面が前記連通孔に達することなく芳香液を収容した状態で、連通孔の開口方向にかかわらず連通孔から芳香液が流れ出るのを妨げることを特徴とする芳香具。
【請求項２】
前記連通孔は、収容空間へさらにせり出すように突出する円筒縁により形成されることを特徴とする請求項１に記載の芳香具。
【請求項３】
前記一方の円形壁面に対向する他方の円形壁面が、前記返し部の立ち上がりに沿って湾曲していることを特徴とする請求項１又は２に記載の芳香具。
【請求項４】
前記収容空間を形成する容器は、収容した前記芳香液を目視可能な透明の耐熱ガラス製であることを特徴とする請求項１から３のいずれかに記載の芳香具。
【請求項５】
前記連通孔に挿入し、前記芳香液を補充可能な適量の目盛りを有するスポイトを具備することを特徴とする請求項１から４のいずれかに記載の芳香具。
【考案の詳細な説明】
【技術分野】
【０００１】
この考案は、芳香液のような芳香液を保持して携帯することができる芳香具に関する。
【背景技術】
【０００２】
内部に芳香液を収容して香気を発するペンダントが特許文献１に記載されている。この容器１は、芳香液Ｐを収容する円筒状の外筒４と、外筒４の一端に一体に連続し、外筒４の内側に向かって他端近傍まで延び、先端が外部に開口する円筒状の内筒７と、外筒４の一端に外側に突出して首掛け紐３を連結することができる取付リング５ａとで構成されている。このペンダント１は、外筒４の一端を上部に配置した状態で、内筒７と外筒４により形成される環状収容部に芳香液Ｐを保持し、内筒７の開口を通して外部に香気を発散する。
【特許文献１】実用新案登録第３１２００７３号公報
【考案の開示】
【考案が解決しようとする課題】
【０００３】
上記従来の香気を発することができるペンダントにおいては、外筒と内筒との二重構造のため構造が比較的複雑となり、この構造により形状の自由度も限定され、アクセサリとしてのデザイン上の制約を受け易い。また、芳香の出口が実質的に内筒の下端となるから、芳香を装着者が感知する過程で広範囲に拡散し易い。
したがって、この出願に係る考案は、装着の態様にかかわらず連通孔から芳香液が飛び出し難いが、構造が極めて簡単で、装飾効果の高い形状に応用でき、しかも装着者がアロマの効能を継続的に手軽に享受できる一方、芳香を広範囲に拡散し難い芳香具を提供することを課題としている。
【課題を解決するための手段】
【０００４】
上記課題を解決するため、この出願に係る考案においては、芳香液Ｐを収容することができる略短円筒状の収容空間を形成し、収容した芳香液Ｐの芳香を放出するように相対向する円形壁面の一方３のほぼ中央に連通孔５を開口させ、アクセサリとして身体又はカバンなどに取り付ける装着部材へ連結するために接続部を設けて芳香具を構成した。特に、連通孔５の周縁部に、収容した芳香液Ｐのこぼれ出しを阻害するために連通孔５を収容空間へせり出すように傾斜しつつ立ち上がる返し部６を設け、液面が連通孔５に達することなく芳香液Ｐを収容した状態で、容器１の配置にかかわらず連通孔５から芳香液Ｐが流れ出るのを妨げるように構成した。
【考案の効果】
【０００５】
この出願に係る考案によれば、構造が極めて簡素で、安価に得られるし、形状等の装飾を施す自由度が高く、小型化も可能なため、身体に装着して、装着者にアロマの効能を継続的に手軽に提供することができ、アクセサリへの応用に好適である。装着状態で容器が揺れ動いても、連通孔から芳香液が飛び出し難く、衣服等に芳香液が付着し難い。円形壁面の一方に設けた連通孔を装着者側に向けて身に付ければ、芳香の拡散が適度に妨げられ、装着者から離れた広範囲に及び難い。
連通孔を収容空間へさらにせり出す円筒縁に形成すれば、さらに連通孔からの芳香液を飛び出し難くする。
返し部に対向する円形壁面を湾曲させれば、円形壁面に溜まる芳香液をスポイトなどにより取り去り易くなり、異なる芳香液への交換が容易になるし、芳香液の液面を連通孔から離すことができてさらに芳香液がこぼれ難くなる。
収容した芳香液を目視可能な透明の耐熱ガラス製の容器にすれば、芳香液の残量を確認できると共に芳香液の動きによる装飾効果を発揮する。また耐熱ガラスは耐薬品性に優れるため、多種の芳香液に使用できる。
スポイトによって適量の芳香液を補充できる。
【考案を実施するための最良の形態】
【０００６】
この考案の実施の形態を図面を参照して説明する。図１は本考案に係る芳香具の斜視図、図２は芳香具の正面図、図３は芳香具の縦断面図である。
【０００７】
図１ないし図３において、容器１は内部に芳香液を収容することができる収容空間を形成するように略短円筒状を成す透明の耐熱ガラス製である。容器１は、前後に対向する円形壁面２，３とこれらの周囲に連続する環状面４とを具備する。
【０００８】
円形壁面３のほぼ中央には、容器１の内外を連通する連通孔５が開口する。この連通孔５の周縁部には、容器１に収容した芳香液Ｐのこぼれ出しを阻害するために、連通孔５を収容空間へせり出すように円形壁面３を内側へ湾曲させた返し部６が形成されている。返し部６は容器１の環状面４から傾斜しつつ立ち上がる。
返し部６の頂部には、連通孔５をさらにせり上げる円筒状の突出縁７が形成されている。
【０００９】
円形壁面３に対向する他方の円形壁面２は、返し部６の立ち上がりに沿って湾曲している。
【００１０】
環状面４の上部には、ネックレス等の吊り紐を連結するための連結環８が突設されている。
【００１１】
図３に示すように、容器１に芳香液Ｐを注入するスポイト９は連通孔５に差し込める太さを有し、容器１に合わせて芳香液Ｐがこぼれ落ちることのない適量を吸い上げるために必要に応じて目盛が設けられる。
【００１２】
この芳香具は、図３に示すように、連通孔５からスポイト９を挿入して容器１内に必要量の芳香液Ｐを注入するので、容器１の特別な開閉操作を伴うことなく、簡単に芳香液Ｐを入れることができ、手や衣服に付着することもない。容器１の下部に芳香液Ｐが溜まるが、連通孔５は突出部７及び返し部５により収容空間にせり出しているので、芳香液Ｐの液面が連通孔５より下位にある量であれば、図４（ａ）ないし（ｃ ）に示すように、容器１を傾けたり横転させたり上下反転させても連通孔５を通じて芳香液Ｐがこぼれ出難いので、芳香具を装着した状態での日常生活での動きよって容易に芳香液Ｐが外に飛び出ることない。容器１の外面には、装飾を自由に施すことができるので、ネックレス等のアクセサリとして身に付ければ、芳香液Ｐが発散する芳香が連通孔５を通じて外部に拡散し、手軽にアロマの効能を享受する。このとき、連通孔５を装着者側に向けて身に付ければ、芳香の拡散が適度に妨げられ、装着者から離れた広範囲に及び難い。また、容器１が耐熱ガラス製のため、耐薬品性に優れ、刺激性の芳香液をも収容できる。透明の容器１は内部の芳香液Ｐを確認できるので、残量を確認できるし、その動きが装飾的効果を発揮する。さらに、異なる種類の芳香液に交換する場合には、図４（ｄ）に示すように、容器１を横倒しにすると、円形壁面２の湾曲内部に芳香液Ｐが溜まるので、スポイト９で吸い取り易く、この後、別の芳香液に交換することができる。
【産業上の利用可能性】
【００１３】
この考案は、芳香液を収容して装着することにより、常時芳香を楽しむのに有効である。
【図面の簡単な説明】
【００１４】
【図１】本考案に係る芳香具の斜視図である。
【図２】図１の芳香具の正面図である。
【図３】図１の芳香具の縦断面図である。
【図４】芳香液を収容した状態の芳香具の縦断面図である。
【符号の説明】
【００１５】
１    容器
２    円形壁面
３    円形壁面
４    環状面
５    連通孔
６    返し部
７    突出縁
８    連結環
９    スポイト
Ｐ    芳香液
【図１】
0003147017.tif 000003
【図２】
0003147017.tif 000004
【図３】
0003147017.tif 000005
【図４】
0003147017.tif 000006